(57)【要約】【構成】インターネットなどの通信手段を介して販売者側と購入者側とが犬などのペット用の衣服の商取引を行う電子通信販売システムにおいてペットの背丈等の必要箇所のサイズの測定情報と当該システムにおいて対象となっているペットに衣服を装着してなるデザインサンプル画像から選択された購入を希望する商品情報とその他の愛犬の種類、愛犬の年齢・性別などの必要情報とに基づき販売者側は当該情報に適合する衣服を作成し購入者側に商品を発送するペット用衣服類の電子通信販売システム【効果】）オーダメードによる愛犬の衣服を作ることができ、家庭などで愛犬のサイズを測り衣服を作る場合その縫製には手間と時間が必要で煩雑であるが専門の販売者が作成するので手間と時間が省けるだけでなく良品を提供でき、適切に指示された測定方法で愛犬のサイズを測定しそれが販売者に伝達されるので愛犬の体形等に適した衣服などを得ることができる等の利点がある。【選択図】        図１
2004272559.tif 000002
【特許請求の範囲】
【請求項１】
インターネットなどの通信手段を介して販売者側と購入者側とが犬などのペット用の衣服及び（又は）その他のペット身装着品の商取引を行う電子通信販売システムにおいて、ペットの背丈、首回り等の必要箇所のサイズの測定情報と当該システムにおいて対象となっているペットに衣服及び（又は）その他のペット身装着品を装着してなるデザインサンプル画像から選択された購入を希望する商品情報とその他の愛犬の種類、愛犬の年齢・性別などの必要情報とに基づき、販売者側は当該情報に適合する衣服及び（又は）その他のペット身装着品を作成し、購入者側に商品を発送することを特徴とするペット用衣服類の電子通信販売システム。
【請求項２】
ペットが、犬であることを特徴とする、請求項１に記載のペット用衣服類の電子通信販売システム。
【請求項３】
インターネットなどの通信手段を介して販売者側と購入者側とが犬などのペット用のバースデーケーキなどの誕生祝いの商取引を行う電子通信販売システムにおいて、ペットの誕生日付け情報と当該誕生祝いのデザインサンプル画像から選択された購入を希望する商品情報とその他の愛犬の愛称などの必要情報とに基づき、販売者側は当該情報に適合する誕生祝いを作成し、購入者側に商品を発送することを特徴とするペット用誕生祝いの電子通信販売システム。
【発明の詳細な説明】
【０００１】
【発明の属する技術分野】
本発明は、ペット用衣服類の電子通信販売システムに関し、特に、愛犬の体型（体形）に適した衣服をインターネットによる双方向通信手段などにより購入できる電子販売システムに関する。
【０００２】
【従来の技術】
愛犬を寒さ・怪我から守る等から、愛犬に衣服を着せる場合、家庭などで愛犬のサイズを測り、衣服を作ることは出来るが、衣服の縫製には手間と時間が必要で煩雑であったり、又、ペットショップには、サイズの合わない或いはデザイン的に不充分な既製品しかなくまた遠方に出かける必要があったりする等問題があった。
【０００３】
【発明が解決しようとする課題】
本発明は、かかる従来技術の有する欠点を解消し、新規なペット用衣服類のオーダメードの電子通信販売システムを提供することを目的としたものである。
本発明の他の目的および新規な特徴は以下の明細書及び図面の記載からも明らかになるであろう。
【０００４】
【課題を達成するための手段】
本発明は、インターネットなどの通信手段を介して販売者側と購入者側とが犬などのペット用の衣服及び（又は）その他のペット身装着品の商取引を行う電子通信販売システムにおいて、ペットの背丈、首回り等の必要箇所のサイズの測定情報と当該システムにおいて対象となっているペットに衣服及び（又は）その他のペット身装着品を装着してなるデザインサンプル画像から選択された購入を希望する商品情報とその他の愛犬の種類、愛犬の年齢・性別などの必要情報とに基づき、販売者側は当該情報に適合する衣服及び（又は）その他のペット身装着品を作成し、購入者側に商品を発送することを特徴とするペット用衣服類の電子通信販売システムに係わるものである。
又、本発明は、インターネットなどの通信手段を介して販売者側と購入者側とが犬などのペット用のバースデーケーキなどの誕生祝いの商取引を行う電子通信販売システムにおいて、ペットの誕生日付け情報と当該誕生祝いのデザインサンプル画像から選択された購入を希望する商品情報とその他の愛犬の愛称などの必要情報とに基づき、販売者側は当該情報に適合する誕生祝いを作成し、購入者側に商品を発送することを特徴とするペット用誕生祝いの電子通信販売システムに係わるものである。
【０００５】
【実施の最良の形態】
図面は、本発明の実施例を示し、図１は、本発明のシステムの一例フローチャート図、図２は、本発明に使用されるオーダシートの一例説明図、図３〜図６は、各々本発明に使用されるデザインサンプルの例を示す説明図、図７は、本発明のシステムの一例系統図、図８は、本発明に使用されるＰＤＡを用いたデザインサンプル画面の例を示す説明図、図９は、本発明に使用される仕立券の一例を示す説明図、図１０は、ペット用誕生祝いの電子通信販売システムに係わるデザインサンプルの例を示す説明図である。
【０００６】
【実施例】
図７に示すように、ペット用衣服類の販売者側のサーバ７１と購入者側（利用者側）の端末７２とは、通信網（通信ネットワーク）７３により結ばれている。当該通信ネットワーク７３は、例えば、インターネット網、デジタル携帯電話網等により構成される。ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で結ばれていてもよい。
【０００７】
販売者側のサーバ７１は、例えば、中央処理装置（ＣＰＵ）、入力装置、記憶装置、出力装置、通信制御装置、コントロール装置、操作パネル、表示装置を備えてなる。
当該中央処理装置（ＣＰＵ）は、当該ペット用衣服類の電子通信販売システム全体の操作・情報を制御する。入力装置は、本体へのデータの入力を行う。又、各種操作の選択を行う。本体に実装されるか、又は外部入力装置により操作され、リモートコントロール（リモコン）により操作することができる。操作入力は、テンキーやリモコンのような入力装置でも、又、表示画面に指で操作する形態でもよい。記憶装置は、例えば、ＲＯＭ（Ｒｅａｄ  Ｏｎｌｙ  Ｍｅｍｏｒｙ）とＲＡＭ（Ｒａｎｄｏｍ  Ａｃｓｅｓｓ  Ｍｅｍｏｒｙ）とで構成され、データベース（ＤＢ）を備えているとよい。当該データベース（ＤＢ）には、例えば、当該ペット用衣服類の電子通信販売システムに使用されるデザインサンプルが商品番号などと共に格納され、又、顧客リスト、更には、メールアドレスなども収納される。  当該ＲＯＭは、操作コマンドに関するメニュー画面や本体プログラム等を格納する記録部である。ＲＡＭは、利用者が入力装置や表示装置から入力したパスワードなどを格納記録する。通信制御装置は、通信インターフェース部（通信Ｉ／Ｆ部）を有してなり、通信モデム等により構成される。コントロール装置は、例えば、多数の利用者側端末からの送信等をコントロールする。操作パネルは、前記入力装置で代替えできるが、特に、表示装置へ表示される画像の操作に使用される。表示装置は、例えば、ＣＲＴや液晶ディスプレイ（ＬＥＤ）画面からなる。
【０００８】
購入者側（利用者側）の端末７２は、パーソナルコンピュータ（ＰＣ）７２０や携帯情報端末（ＰＤＡ）７２１や携帯電話機（ＰＨＳ  パーソナル・ハンディホン・システム、簡易型携帯電話機も包含する。）７２２等から構成される。
当該パーソナルコンピュータ（ＰＣ）７２０は、例えば、前記サーバと同様の構成からなる。
携帯端末（ＰＤＡ）７２１も同様の構成からなる。
携帯電話機７２２には、カメラ付き携帯電話機を使用することができる。カメラ付き携帯電話機は、例えば、デジタルスチルカメラの機能を内蔵した携帯電話機で、当該デジタルスチルカメラは、例えば、電荷結合素子（ＣＣＤ）よりなる撮像素子により構成される。当該電荷結合素子は、その写光を光電変換し電荷として蓄積し、この蓄積された信号電荷を、デジタル信号として出力する。
カメラ付き携帯電話機は、電子メールの送信も可能で、愛犬やオーダシートなどの撮影画像を、通常、添附ファイルとして送信することができる。所謂、写メール（登録商標）とかムービーメールなどと称されているシステムを使用できる。
【０００９】
図１に基づいて、本発明のペット用衣服類の電子通信販売システムのフローチャートを説明し、又、図２以下に基づいて、本発明のペット用衣服類の電子通信販売システムを説明する。
本発明のペット用衣服類の電子通信販売システムは、オーダメードシステムで、且つ、電子販売システムとなっている。
本発明におけるオーダーメードシステムでは、購入者の愛犬の背丈、首回り等の必要箇所のサイズの測定情報を得る必要がある。
インターネットの当該販売者側のホームページにアクセスがあった場合、その図示が省略されているが、最初に、必要に応じて利用者の当該システムへの接続に必要なＩＤ（利用者識別符号）やパスワードなどの照合がなされ、愛犬のオーダーメードに必要な愛犬のサイズの測定が行われたか否かが確認される（Ｓ０１）。当該測定方法は、図２に示すように、メジャーで、愛犬の背丈（着丈）２０、首回り、バスト２３、ウエスト２４、胸幅２５、前脚の太さ２６を図るように指定されるが、当該指定箇所は通常の例であって、追加で必要な箇所又は測らなくてもよい箇所もあることがある。図２に示すように、当該背丈（着丈）２０は、付けている首輪の位置から尾の付け根までの長さとする。首回り２１は、首の付け根回りとする。バスト２３は、一番太い部分（前脚のすぐ後ろ）とする。ウエスト２４は、前脚から後脚までの間を３当分した後ろから３分の１位の位置とする。胸幅２５は、肩幅に足を開いて立った状態とする。前脚の太さ２６は、足の付け根の一回りとする。当該測定方法の通常例であって、適宜変更が可能である。当該測定方法は、図２のオーダシート（Ｏｒｄｅｒ  Ｓｈｅｅｔ）２に示すように、その他、顔は前向き、立ちポーズで測定させ、又、毛が長くて厚い場合には、メジャーを回して締め上げない程度に毛を押さえた状態で測定させるように指示する。
次いで、愛犬のオーダーメードに必要な愛犬のサイズの測定が行われている場合には、その測定に際し、上記のような所定の測定方法で行われたか否かが判断（確認）される（Ｓ０２）。所定の測定方法によらない場合には、上記のような所定の測定方法を表示する（Ｓ０３）。
所定の測定方法で行われた場合には、図２に示すようなオーダーシート画面２を表示する（Ｓ０４）。尚、図２に示すように、所定の測定方法を表示したオーダーシート画面を直接表示してもよい。
当該オーダーシートは、一旦、ダウンロードしておき、後日、再度接続するようにしてもよい（Ｓ０５）。又、オーダーシートをプリントアウトして（Ｓ０６）、ＦＡＸ送信させるようにしてもよい（Ｓ０７）。
電子メール画面を表示して（Ｓ０８）、電子メールにて注文させるようにしてもよい（Ｓ０９）。
次いで、愛犬のサイズを入力させる（Ｓ１０）。愛犬のサイズは、当該図２に示す例では、前記のように、愛犬の背丈（着丈）、首回り、バスト、ウエスト、胸幅、前脚の太さからなっている。
愛犬のサイズを入力後に、次いで、例えば、図３〜図６に示されるようなデザインサンプル画面を表示する（Ｓ１１）。当該デザインサンプルは、図示のように、ペットとなる犬に衣服を装着してなるものとする。当該デザインサンプルには、図示のように、商品番号をも表示しておく。
当該デザインサンプルは、図３に示すデザインサンプル画面３のように、衣服３０のみを装着してなる場合に止まらず、図４に示すデザインサンプル画面４のように、衣服（レインコート）４０に加えてコンパーチブル（フード様もの）４１を装着したものとすることができ、図５に示すデザインサンプル画面５のように、衣服５０に加えて、帽子５１を装着したものとすることができ、又、図６示すデザインサンプル画面６のように、、衣服（レインコート）６０に連なってコンパーチブル（フード様もの）６１を装着したものとすることができる。
図８に示すように、例えば、ＰＤＡ７２１の液晶表示装置画面上に、例えば、図４に示されるようなデザインサンプル画面４が表示される。
図３〜図６に示されるようなデザインサンプル画面から、購入者は、その商品番号で、希望するデザインのものを選択し、注文の商品番号を入力する（Ｓ１２）。
又、愛犬の種類、愛犬の年齢／性別を入力させる（Ｓ１３）。
上記で選択されたデザインサンプルは、通常、出来るだけ、全ゆる犬種・大きさに対応できるようになっているが、選択されたデザインサンプルと愛犬の種類などとの整合性が判断される（Ｓ１４）。
必要に応じて入力の修正を入力させる（Ｓ１５）。
上記整合性の判断後、次いで、その他必要な事項（名前、住所、ＴＥＬ、ＦＡＸなど）が入力される（Ｓ１６）。
当該実施例では、図２に示すようなオーダーシート画面２を表示して、当該オーダーシート画面２に基づいて諸種事項を入力するようにしているが、例えば、注文の商品番号の数値を入力するのではなく、列挙された番号の中から選択するとか、愛犬の性別のオス・メスを選択ボタンで選択する等の形式で、順次に、諸種事項を選択・入力するようにしてもよく、その他適宜変更可能である。
本発明システムでは、上記のような愛犬の背丈、首回り等の必要箇所のサイズの測定情報と、愛犬に衣服及び（又は）その他のペット身装着品を装着してなるデザインサンプル画像から選択された購入を希望する商品情報と、その他の愛犬の種類、愛犬の年齢・性別などの必要情報とに基づき、販売者側は当該情報に適合する衣服及び（又は）その他のペット身装着品を作成し、購入者側に商品を発送する。
【００１０】
本発明では、図９に示すように、オーダメードの為の仕立券を発行し、上記のようなデザインサンプル画像やカタログなどから、購入を希望する商品を選択し、上記のように、サイズの測定情報や愛犬の種類、愛犬の年齢・性別などの必要情報を販売者に告知して、商品を購入することができる。
【００１１】
本発明は、犬の他、猫などのペット全般に適用できる。
本発明においては、前記実施例では、デザインサンプル画像として、愛犬よりなるペットに衣服を装着してなるものを示したが、当該衣服や身装着品を単独で示してもよい。
本発明では、ペットの衣服などを、マイナス・イオンを発生させる布地で仕立てるようにして、ペットの健康と従順な性格造りに役立たせることができる。
【００１２】
次に、本発明における第２の発明のペット用誕生祝いの電子通信販売システムについて説明する。
当該ペット用誕生祝い（バースデープレゼント）の電子通信販売システムについては、前記衣服などのオーダーメードと併行して、愛犬の誕生年月日に関する情報を購入者から得て、当該衣服等の発送と共に、バースデーケーキを配送してもよいし、又、独自に当該システムを実行するようにしてもよい。当該バースデーケーキには、愛犬の愛称を入れたり、「おめでとう」の文字を入れたりなどの工夫をすることができる。
当該バースデーケーキについては、前記衣服などのオーダーメードにならって、例えば、図１０に示すような当該誕生祝いに関するデザインサンプル画像１０を示し、当該デザインサンプル画像１０から購入を希望する商品を選択するようにすればよい。
当該ペット用誕生祝いとしては、バースデーケーキの他、首輪等各種商品を適用できる。
【００１３】
【発明の効果】
本願において開示される発明のうち代表的なものによって得られる効果を簡単に説明すれば、下記のとおりである。
すなわち、本発明によれば、次のような利点がある。
（１）オーダメードによる愛犬等ペットの衣服を作ることができる。
（２）家庭などで愛犬等ペットのサイズを測り、衣服を作る場合、その縫製には手間と時間が必要で煩雑であるが、専門の販売者が作成するので、手間と時間が省けるだけでなく、良品を提供できる。
（３）適切に指示された測定方法で愛犬などペットのサイズを測定し、それが販売者に伝達されるので、愛犬などペットの体形等に適した衣服などを得ることができる。
（４）デザインサンプル画面が示されるので、種々のデザインのものから希望するデザインのものが得られる。
（５）デザインサンプル画面は、愛犬などペットに装着された形態で表示されるので、愛犬などペットの体形等に適した衣服などを得ることができる。又、実際に身につけた画像なので、バーチャル画面となし得る。
（６）インターネットなど通信販売で商品が得られるので、利用者は、遠方のペットショップなどに出かける必要がない。
（７）ペット用誕生祝いと併用するとより一層販路の拡大に繋がる。
（８）ペット用誕生祝いにより、利用者は、インターネットなど通信販売で家庭にいながら商品を得ることができる。
【図面の簡単な説明】
【図１】図１は、本発明のシステムの一例フローチャート図である。
【図２】図２は、本発明に使用されるオーダシートの一例説明図である。
【図３】図３は、本発明に使用されるデザインサンプルの例を示す説明図である。
【図４】図４は、本発明に使用されるデザインサンプルの例を示す説明図である。
【図５】図５は、本発明に使用されるデザインサンプルの例を示す説明図である。
【図６】図６は、本発明に使用されるデザインサンプルの例を示す説明図である。
【図７】図７は、本発明のシステムの一例系統図である。
【図８】図８は、本発明に使用されるＰＤＡを用いたデザインサンプル画面の例を示す説明図である。
【図９】図９は、本発明に使用される仕立券の一例を示す説明図である。
【図１０】図１０は、ペット用誕生祝いの電子通信販売システムに係わるデザインサンプルの例を示す説明図である。
【符号の説明】
２…オーダシート
３…デザインサンプル画面
４…デザインサンプル画面
５…デザインサンプル画面
６…デザインサンプル画面
７１…販売者側サーバー
７２…購入者側（利用者側）端末
７３…通信網（通信ネットワーク）
【図１】
2004272559.tif 000003
【図２】
2004272559.tif 000004
【図３】
2004272559.tif 000005
【図４】
2004272559.tif 000006
【図５】
2004272559.tif 000007
【図６】
2004272559.tif 000008
【図７】
2004272559.tif 000009
【図８】
2004272559.tif 000010
【図９】
2004272559.tif 000011
【図１０】
2004272559.tif 000012